(57)【特許請求の範囲】
【請求項１】
略半筒状とされた両側一対のカバ−部材よりなり、該各カバ−部材はその長手方向に沿ってその一側がヒンジを介して開閉自在に連結されると共に、同他側が係着部材を介して係着自在とされてなる電線補修用カバ−であって、上記両側のカバ−部材内周面にはその径方向に向けて弾性を有する縦突片が略八字形状に突設されると共に、該各縦突片と相まって電線の芯線を挾持状に圧接支持せしめるべく一方のカバ−部材のヒンジがわ内周面にはその長手方向に向けて所要長の横突片が各縦突片と対向状に突設され、かつ、上記各縦突片の頂部はその間隔が圧接支持せしめるべき芯線に近づくにつれて拡大する方向へ向けてテ−パ状に形成されてなることを特徴とする、電線補修用カバ−。
【発明の詳細な説明】
【０００１】
【発明の属する技術分野】
本発明は電線補修用カバ−に関し、さらに詳細には、バイパス工法により所要の架線工事を行うべく露出せしめた被覆電線の芯線個所を工事終了後に補修せしめる電線補修用カバ−に関する。
【０００２】
【従来の技術】
従来より、この種の電線補修用カバ−としては、例えば、実開昭５９−６５４２３号公報記載のものが知られており、これを図７及び図８に基づいて説明する。
即ち、同図中、５１は所要の長さと径を有する円筒状の絶縁プラスチック製カバ−本体
、５２は該カバ−本体５１の長手方向に沿って形成された拡開用切目、５３は該切目５２の両側縁に沿って対向状に突設された両側一対の突条、５４は一方の突条５３に形成された係合凸部、５５は該係合凸部５４に対応すべく他方の突条５３に形成された係合凹部、５６はカバ−本体５１の長手方向に沿ってその中央部内周面に内方突設された所要の長さと幅を有する掛止突片である。その他、５７は電線、５８・５９は該電線５７を構成する被覆層と芯線を各々示す。
【０００３】
そして、上述の如く構成された従来例は、先ず電線５７の被覆層５８を所要の幅にわたって剥ぎ取り、芯線５９を露出せしめる。しかるのち、カバ−本体５１を手でもって握持し、その弾性力に抗しつつ切目５２に沿って拡開せしめ、掛止突片５６を芯線５９部位に嵌合掛止せしめると共に、カバ−本体５１をその弾性力の付勢により閉作動せしめ、係合凸部５４を係合凹部５５に係合して装着せしめるものである。
【０００４】
【発明が解決しようとする課題】
ところで、上述の如く構成された従来例は、掛止突片５６を露出せしめた芯線５９部位に嵌合掛止せしめるにすぎないものであるから、その掛止力は弱く、ガタ付いたり、あるいは電線５７の中心線方向に沿って移動するなどのおそれがあり、必ずしも確実に装着せしめることが出来ないものである。また、常にカバ−本体５１の内径に電線５７の外径を適合せしめる必要があるため、外径の異なる他の電線には適用せしめることが出来ないのみならず、装着時においてもカバ−本体５１を切目５２に沿って拡開せしめるものであるから、常に手作業に頼らざるを得ないものであって、実際上、間接活線工法的に装着せしめることが出来ないという問題点を有するものである。
【０００５】
本発明はかかる従来例の問題点を一挙に解決し、剥ぎ取った電線の芯線部位に確実に、しかも、強固に間接活線工法的に装着せしめることが出来るのみならず、径の異なる多種の電線にも充分適用せしめることが出来る電線補修用カバ−を提供しようとするものである。
【０００６】
【課題を解決するための手段】
即ち、請求項１記載の発明は、略半筒状とされた両側一対のカバ−部材よりなり、該各カバ−部材はその長手方向に沿ってその一側がヒンジを介して開閉自在に連結されると共に、同他側が係着部材を介して係着自在とされてなる電線補修用カバ−であって、上記両側のカバ−部材内周面にはその径方向に向けて弾性を有する縦突片が略八字形状に突設されると共に、該各縦突片と相まって電線の芯線を挾持状に圧接支持せしめるべく一方のカバ−部材のヒンジがわ内周面にはその長手方向に向けて所要長の横突片が各縦突片と対向状に突設され、かつ、上記各縦突片の頂部はその間隔が圧接支持せしめるべき芯線に近づくにつれて拡大する方向へ向けてテ−パ状に形成されてなることを特徴とする、電線補修用カバ−を要旨とするものである。
【０００７】
【発明の実施の形態】
以下に、本発明の実施の形態を図面に示す一実施例に基づいて説明する。
図１乃至図６は本発明の一実施例を示すもので、同図中、１ａ・１ｂは所要の長さと径を有する両側一対の絶縁プラスチック製略半筒状カバ−部材、２は該各カバ−部材１ａ・１ｂを開閉自在に連結せしめるべくその一側縁に一体形成されたヒンジ、３は一方のカバ−部材１ａの他側縁両端にフランジ４ａを介して形成された係合突起、５は該各係合突起３に対応すべく他方のカバ−部材１ｂの他側縁両端にフランジ４ｂを介して形成された係合孔、６は一方のフランジ４ａに突設された摘み片、７は後記する各縦突片８ａ・８ｂと相まって電線５７の芯線５９を挾持状に圧接支持せしめるべく一方のカバ−部材１ｂの長手方向に沿ってそのヒンジ２側内周面中央部に内方突設された所要の長さと高さを有する横突片、８ａ・８ｂは該横突片７に対向すべく各カバ−部材１ａ・１ｂの径方向に沿ってその内周面中央部に各々所定間隔をもって屈曲自在に内方突設された弾性を有する２条の縦突片で、該各縦突片８ａ・８ｂはヒンジ２がわより自由端がわに向けて略八字形状に突設されると共に、各縦突片８ａ・８ｂの頂部９はその間隔が圧接支持せしめるべき芯線５９に近づくにつれて拡大する方向に向けテ−パ状に形成されている。
１０は前記各カバ−部材１ａ・１ｂの両端部内周面に各々内方突設された２条の虫害防止用内ヒダ片、１１は各カバ−部材１ａ・１ｂの両端部に各々テ−パ状に延設された鳥害防止用外ヒダ片、１２はカバ−部材１ａ・１ｂの拡開度を自由に調整せしめるべくその一方の両端部に各々突設された係合突起付き拡開調整バンド片、１３は該拡開調整バンド片１２を所要の位置に係止せしめるべく他方のカバ−部材１ｂ両端部に各々形成された係合孔である。
【０００８】
そして、上述のごとく構成された実施例を電線５７の芯線５９個所に装着せしめるさいには、先ず、電線５７の外径に応じてカバ−部材１ａ・１ｂの拡開度を拡開調整バンド片１２により調整せしめる。次いで、摘み片６をヤットコ等の間接活線把持工具（図示略）に把持せしめつつ、電線５７の芯線５９個所にアプロ−チせしめ、上方より跨嵌状に被覆せしめる。このさい、縦突片８ａ・８ｂ及び横突片７は各々芯線５９個所に合致せしめられている。しかるのち、両側のフランジ４ａ・４ｂを間接活線把持工具（図示略）により把持して挟圧せしめる。すると、間接活線把持工具の挟圧によりヒンジ２を介してカバ−部材１ａ・１ｂが閉作動を開始し、縦突片８ａ・８ｂ及び横突片７を芯線５９個所に当接せしめると共に、横突片７の両端面を各々被覆層５８の剥離端面に衝止せしめる。このさい、各縦突片８ａ・８ｂの頂部９はテ−パ状に形成されているから、両側のカバ−部材１ａ・１ｂは各縦突片８ａ・８ｂの頂部９を芯線５９に当接せしめつつそのテ−パ面に沿って下方向（図４に矢印で示すＹ方向）に移動すると共に、横突片７を芯線５９に当接せしめ、縦突片８ａ・８ｂ及び横突片７を確実に芯線５９個所に嵌合せしめることが出来る。そして、さらに挟圧せしめると、各係合突起３が対応する係合孔５に係合し、両側のカバ−部材１ａ・１ｂを閉止せしめる（図３参照）。このさい、図４及び図６に図示するように、挟圧により各縦突片８ａ・８ｂが芯線５９に圧接されて外側方向に各々屈曲しつつ芯線５９を左右方向（図４に矢印で示すＸ方向）から挟持すると共に、その一側が被覆層５８の剥離端面に衝止するのみならず、芯線５９を押圧して被覆層５８の剥離端面に衝止する横突片７に圧接せしめ、縦突片８ａ・８ｂと横突片７とが相まって電線５７の芯線５９個所に確実に、しかも、強固に装着せしめることが出来る。
【０００９】
以下、外径の異なる他の電線の場合においても、同様に、両側のカバ−部材１ａ・１ｂを閉作動せしめつつ、横突片７を被覆層５８の剥離端面に衝止せしめると共に、各縦突片８ａ・８ｂを芯線５９に圧接せしめて外側方向に屈曲せしめつつ芯線５９を左右から挟持せしめるのみならず、その一端を被覆層５８の剥離端面に衝止せしめ、かつ、芯線５９を衝止状態の横突片７に圧接し、両者が相まって確実に、しかも、強固の装着せしめることが出来る。
【００１０】
なお、上記実施例において、両側のカバ−部材１ａ・１ｂには２条の縦突片８ａ・８ｂが径方向に向けて略八字形に形成されているが、その個数を必要に応じて適宜増加せしめてもよいものである。
【００１１】
【発明の効果】
請求項１記載の発明によれば以上の次第で、略半筒状とされた両側一対のカバ−部材よりなり、該各カバ−部材はその長手方向に沿ってその一側がヒンジを介して開閉自在に連結されると共に、同他側が係着部材を介して係着自在とされてなる電線補修用カバ−であって、上記両側のカバ−部材内周面にはその径方向に向けて弾性を有する縦突片が略八字形状に突設されると共に、該各縦突片と相まって電線の芯線を挾持状に圧接支持せしめるべく一方のカバ−部材のヒンジがわ内周面にはその長手方向に向けて所要長の横突片が各縦突片と対向状に突設されているから、両側のカバ−部材を電線の芯線個所に跨嵌せしめたのち、ヤットコなどの間接活線把持工具により把持して挟圧せしめつつ閉作動せしめ、横突片を被覆層の剥離端面に衝止せしめると共に、各縦突片を芯線に圧接せしめて側方に屈曲せしめつつ左右から芯線を挟持せしめ、その一端を被覆層の剥離端面に衝止せしめるのみならず、芯線を衝止状態の横突片に圧接せしめることが出来るものであって、常に縦突片と横突片とが相まって確実に、しかも強固に間接活線工法的に装着せしめることが出来るものである。また、縦突片の頂部はその間隔が圧接支持せしめるべき芯線に近づくにつれて拡大する方向へ向けてテ−パ状に形成されているから、両側カバ−部材の閉作動においては、各縦突片の頂部を芯線露出部に当接せしめつつテ−パ面に沿って横突片方向に移動せしめることが出来るものであって、常に縦突片および横突片を芯線個所に確実に嵌合せしめることが出来るものである。
【図面の簡単な説明】
【図１】  本発明の一実施例を示す斜視図である。
【図２】  本発明の一実施例を示す平面図である。
【図３】  実施例のカバ−部材１ａ・１ｂを電線５７に装着せしめた状態を示す側面図である。
【図４】  図３のＡ−Ａ線に沿う断面図である。
【図５】  実施例の縦突片８ａ・８ｂの作動状態を示す一部拡大平面図である。
【図６】  実施例の縦突片８ａ・８ｂと横突片７とにより芯線５９を挟持せしめた状態を示す一部拡大断面図である。
【図７】  従来例を示す一部破断斜視図である。
【図８】  従来例の使用状態を示す断面図である。
【符号の説明】
１ａ・１ｂ    カバ−部材
２    ヒンジ
３    係合突起
５    係合孔
７    横突片
８ａ・８ｂ  縦突片
９    頂部
５７  電線
５９  芯線
【図１】
0003691445.tif 000002
【図２】
0003691445.tif 000003
【図３】
0003691445.tif 000004
【図４】
0003691445.tif 000005
【図５】
0003691445.tif 000006
【図６】
0003691445.tif 000007
【図７】
0003691445.tif 000008
【図８】
0003691445.tif 000009